(57)【特許請求の範囲】
【請求項１】
外端部で横断部（40）を介して連結された一対の略平行に延出する脚（13、14）によって作られる商品ディスプレイワイヤブラケットの外端から情報担体をつるすための取り付け部材であって、
前記取り付け部材はアーチ形ブラケット（8,30,30'）を備え、前記アーチ形ブラケットは前記ワイヤブラケットの前記横断部の周囲にループを形成するために可撓性を有し、前記取り付け部材を前記情報担体に接続するように形づくられている前記可撓性ブラケットの端部によって前記情報担体へ接続可能であり、前記取り付け部材は第１のポジションでは商品ディスプレイブラケットの先端から垂直に下がっており、
前記取り付け部材は前記ループ内に延出する出っ張り部(12)を有し、前記出っ張り部(12)の寸法は、前記ワイヤブラケットの平行脚間の距離に一致し、第２のポジションでは、前記取り付け部材の前記出っ張り部が前記ワイヤブラケットの前記脚（13、14）の間に挟まれて取り外し可能に固定されることを特徴とする。
【請求項２】
前記アーチ形ブラケットの第１の端部はプレート(9)に接続し、前記アーチ形ブラケットは第２の端部(11)を持ち、前記プレートの上部の上にアーチ形状して広がり、前記プレート(9)と前記第２の端部(11)は前記取り付け部材を前記情報担体と接続するために作られ、前記出っ張り部(12)は前記プレートの上側から前記ループ内に延出し、前記出っ張り部は前記第２のポジションをとった際に前記ワイヤブラケットの前記脚部(13,14)の間で取り外し可能なように固定されるための窪んだ側面(15)を有する請求項１の取り付け部材。
【請求項３】
前記取り付け部材と前記情報担体とを取り外せないように接続するために前記情報担体に配置されるスナップ固定手段と結合するスナップ固定手段が前記取り付け部材に形成されている請求項２の取り付け部材。
【請求項４】
前記取り付け部材を閉ループの形とし取り外せないように固定するためのスナップ固定手段が前記取り付け部材に形成されている請求項２の取り付け部材。
【請求項５】
請求項1乃至4のいずれか一項の取り付け部材と、前記取り付け部材に接続可能な情報担体とを含む取り付け部材アセンブリであって、前記取り付け部材アセンブリは、30×5mmサイズの送り穴を通過可能な断面形状と寸法であることを特徴とする。
【請求項６】
前記断面形状と寸法は、ドイツ工業標準規格（ＤＩＮ）55 612Teil 1-1977に従う形状とサイズの送り穴を前記取り付け部材アセンブリが通過するサイズである請求項５の取り付け部材アセンブリ。
【請求項７】
前記情報担体(1)が一端に、前記取り付け部材の前記端部を受け入れるように形作られた凹部(6)を持つ請求項５の取り付け部材アセンブリ。
【請求項８】
前記凹部(6)が、前記アーチ形ブラケット(8,30,30')の一端に接続される前記プレート(9)を受け入れるために形成され、そして前記アーチ形ブラケットの前記第２の端部(11)を受け入れるための溝(7)が、前記凹部(6)に形成される請求項７の取り付け部材アセンブリ。
【請求項９】
前記情報担体(1)が価格を表示する窓(3)を持つ光電発動価格タグである請求項５の取り付け部材アセンブリ。
【請求項１０】
前記情報担体(1)が30mm未満の幅と少なくとも3.5mm多くても4.5mmの厚さを持つ請求項９の取り付け部材アセンブリ。
【発明の詳細な説明】
本発明は、情報担体をセットパッケージング用に設けられた取り付けホルダあるいは商品ディスプレイブラケットの外端部につるすための取り付け手段に関し、本発明の好適な実施例は、光電発動の価格記録装置を商品ディスプレイブラケットから吊すための取り付け手段を提供することを目的とする。
この種の価格記録装置すなわち価格タグは例えば、商品のセット価格、卸売り価格、通常価格、臨時価格などを表示するのに店で用いられる割合が増えている。これらの価格タグは光電セルによって発動し、価格を示す窓を有し、価格窓をリモートコントロールしてそれぞれの価格タグ同士を相互に連動させる少なくとも一つのセンサ手段を備えている。こうした価格タグは公知であり、本発明は取り付け手段、すなわち、パッケージが商品をディスプレイするための取り付けホルダに吊されるように構成されている価格タグあるいは他のあらゆる情報担体を商品の価格を示すのに用いるようにするための取り付け手段に関するものであり、価格タグの内部構造と機能についての詳細な説明はここでは省略する。
通常この種の価格タグはディスプレイされている商品の価格を示すためにその商品の置かれている棚の縁か、果物その他のかさばる商品の価格を表示するためのロッド上に取り付けられるようになっている。
これ以外の一般的な商品ディスプレイとしては、例えばプラスチックカバーなどのさまざまな種類のセット用パッケージを備えたものがある。プラスチックカバーは商品を裏あての厚紙に固定させる、いわゆる「ブリスターパック」と呼ばれるものである。この厚紙の上部には、保管やディスプレイのために取り付けホルダ上に吊す細長く、水平な送り穴がある。これにより、送り穴はブラケット形状の取り付けホルダから、あるいは単純なワイヤロッドから所望によりつり下げられるようになっており、送り穴には上部を定義する端に中心部によった半円状の凹部が設けられている。同様な取り付けホルダと相関する別の種類のパッケージは、例えば折り重ねられた厚紙を有するバッグを備え、バッグを閉じるためにバッグの口にとじ金を介してこの厚紙が固定されている。厚紙にはホルダにバッグを吊すための上述の種類の細長い穴が設けられている。
ブラケット形の取り付けホルダは伸長したブラケットの形をしている。このブラケットは、２つの平行に延出する脚が外端部において横切る、好ましくはアーチ形の断面によって連結されており、この外端部はわずかに上方に曲がっていることもあり得、脚の内端は例えば穴あきレールと係合してブラケットをほぼ水平方向に固定するような形状をなしている。ワイヤブラケットは単一の部材を曲げた形状をしている。
上述のディスプレイは世界中で用いられており、取り付けホルダと送り穴のサイズには一定の標準が設定されている。例えば、ＤＳ  ９０３（オランダ国標準）、ＳＳ  ８４７００９（スエーデン国標準）、ＤＩＮ  ５５  ６１２  Ｔｅｉｌ  １−１９７７（ドイツ国標準）などを参照されたい。したがって「ユーロホール」という用語は標準化送り穴に関する技術において登場する。少なくとも２つのサイズの送り穴と関連の商品ディスプレイブラケットがあるわけだが、本発明は大きいサイズのブラケットとの使用を目的としていることに注意されたい。しかしながら、本発明の趣旨は外部の大きさを調整することによって小さいサイズのブラケットに関しても実施可能であると認められる。
ワイヤブラケットから吊されるセットパッケージは通常非常に密接してディスプレーされるので、多くの場合、この種の価格タグをワイヤブラケットの取り付けレールに取り付けるのに十分な広さがとれない。
本発明によれば、取り付け手段と価格タグを商品ディスプレイブラケットの先端に吊すことができるように設計することでこの不都合が解消される。
本発明の取り付け手段は他のあらゆる情報担体、例えば価格、適用分野、内容説明などの商品に関する印刷化された情報を伝える標識に用いてもよいということを強調しておきたい。しかし、本発明は上述の使用に関して説明する。
よって、本発明の第１の目的は、情報担体を取り付けホルダすなわち商品ディスプレイブラケットから吊すことを可能にする取り付け手段を開示することである。
本発明の第２の目的は、商品ディスプレイブラケットと協動するための取り付け手段を有する光電発動価格タグを開示することである。
この第１の目的は添付の請求の範囲第１項に記載の取り付け手段によって達成され、第２の目的は請求の範囲第３項に記載の価格タグによって達成される。
本発明を添付の図面を参照してさらに詳細に説明する。図面において、
図１ａおよび図１ｂは商品ディスプレイブラケットあるいはワイヤブラケットに取り付けられる前の位置にある情報担体／価格タグおよび取り付け手段の一実施例の斜視図であり、
図２は標準送り穴、いわゆる「ユーロホール」の拡大正面図であり、
図３は商品再供給位置における取り付けられた価格タグと取り付け手段の斜視図であり、
図４は図３に対応する斜視図で、商品がワイヤブラケットから取り外され得る位置での本発明を示しており、
図５はワイヤブラケットの先端横断面の周りに組み立てられる前の、折り重ねられていない状態での取り付け手段の好適な実施例を示すものであり、
図６はワイヤブラケットに取り付けられた図５の取り付け手段の縦断面図であり、
図７は図５、図６の取り付け手段を上から見た図であり、
図８は矢印ＶＩＩＩの方向から見た図６の取り付け手段の端面図であり、
図９は図６のＩＸ−ＩＸ線で切り取られた取り付け手段の断面図であり、
図１０は図９に対応する取り付け手段の別の実施例の断面図であり、
図１１は取り付け手段の別の実施例の側面図である。
図１ａを参照すると、情報担体は参照符号１として示され、例えば価格タグ１を構成する。本体５において、情報担体すなわち価格タグ１は電源としての光電セル２、価格窓３、価格窓への制御信号を受信し、別の価格タグと相互に連動する一対のセンサ手段４とを具備している。本発明は商品ディスプレイブラケットと協働する情報担体／価格タグの取り付け手段の機械的設計に主眼を置いているので、価格タグの公知の機能と内部構成についての詳細な説明はここでは省略する。
価格タグ１は断面寸法を有しており、これがいわゆる「ユーロホール」に適用され、この「ユーロホール」を介して価格タグが挿入され得る。「ユーロホール」とはセット用パッケージ１７の送り穴１８である。この送り穴が商品ディスプレイブラケット（図２参照）と協働する。このために、この実施例の価格タグ１の幅は３０ｍｍ未満、厚さは約３．５から４．５ｍｍであり、縦の縁は好ましくは丸くなっているかまたは縦の側面を例えば半円状になしている。開示のサイズでは、送り穴の寸法は水平の長さが３０ｍｍで、送り穴の端部は半径２．５ｍｍ、幅５ｍｍ、送り穴の上部を定義する縁の半円凹部１９の半径は５ｍｍである。
２端のうちの一方の端部で、使用時に上方にくる端部において、価格タグ１は好ましくは矩形断面を有し、本体幅の実質部分に沿って延出する凹部６を備える。溝７を凹部の２つの限界面の一つに設けてもよい。凹部と溝それぞれの軸長はこのあとでより詳細に説明する方法で取り付け手段を受けるように調整する。
取り付け手段は、図１ａの参照符号８で示される部分を指し、全体として可撓ブラケット８を形成する。取り付け手段８は略矩形で比較的薄い底部すなわちプレート９を備えており、その一端からブラケット１０が延出する。ブラケット１０は略弧状でプレートの上面を自由端が横切る形で延出している。ブラケットの自由端にはピン１１が好適に形成され、所望の場合には取り付けられた状態でその断面形状は溝７に受け入れられ、固定されるように調整される。
底部すなわちプレート９の上面には出っ張りすなわちボス１２が備えられている。この実施例によれば、出っ張りすなわちボス１２はブラケット１０の延長であって、ブラケット１０からプレート９への過渡部にブラケット１０から離れるように延出してもよい。ボス１２の高さおよび厚さは平行に延出するブラケットの脚１３、１４間の距離に応じて決められる。ボス１２は、図３に示すように取り付け手段がワイヤブラケットと軸合わせされるとき、ブラケットの脚の間に取り付け手段をクランプ固定させるための窪んだ側面１５を有している。
取り付け手段８と価格タグ１を取り付けた後、ブラケット１０はワイヤブラケットの先端における脚間の横断部を囲むように配置され、取り付け手段のプレート９とブラケットの自由端１１は価格タグの凹部６と溝７にそれぞれ挿入され、価格タグの凹部６と溝内に固定される。この２つの構成要素を永久に固定するために、プレート９には例えばフック、のこ歯切欠きまたはこの実施例のように、公知の方法で（図示しない）合わせ部材またはショルダと凹部６の内面で係合する弾性舌状部材１６の形状をしたロック部材が設けられている。
図３はブラケットの先端に吊される本発明の価格タグを有する商品ディスプレイブラケットにパッケージを再供給する状態を示している。ボス１２をブラケットの脚の間で強く把持した状態で、取り付け手段と取り付け手段に取り付けられた価格タグは商品ディスプレイブラケットの延長線上に延出する。これによって、送り穴１８を有するパッケージ１７は容易に価格タグと取り付け手段を通過して、商品ディスプレイブラケット上に保管され得る。取り付け手段のブラケット１０はこうして送り穴の上部縁の半円状凹部１９を通過する。再供給が完了したら、価格タグは手動で商品ディスプレイブラケットの脚との係合を解くことができ、ブラケットの先端から直角にぶら下がる。
パッケージが商品ディスプレイブラケットから取り外されるとき、図４の二重矢印にしたがって、価格タグは送り穴をスライドするように前方に振れ、またパッケージが外されると後方に振れてブラケットに垂直にぶら下がる。
ブラケット１０と取り付け手段全体は例えばポリアミド、ポリプロピレン、可塑ポリスチレンなどの合成材で好適に製造される。ブラケットはその延長部の主要部に沿って半円あるいは弧状断面をなすのが好ましいが、図１ｂに示すようにプレートに接続する前に価格タグのぶら下がる位置での横方向の安定性をより優れたものとするために最小半径の部分で断面を薄くして、遮蔽部２０を有するようにしてもよい。
図５から９は好適な実施例の取り付け手段の拡大図であり、図５は側方立面図で、伸長位置での取り付け手段／ブラケット３０を示す。
図５によれば、取り付け手段／ブラケット３１は弧状断面あるいは円形横断面を有し、比較的薄い底部／プレート３２に併合するように３１Ａ部で薄くなっている。出っ張り／ボス３３はプレートの上面に延出し、この出っ張りの側面は図９の断面図に示すように凹状あるいは谷状をなす。ボス３３は弧状の滑り面を有するという特徴があるので、パッケージの再供給の際に商品ディスプレイブラケットの上に容易に押すことができる。取り付け手段が商品ディスプレイブラケットの脚の間に固定されるように、ボスの前端も谷状にして、ワイヤブラケットの横断面との係合点３５を持つようにしてもよい。図１０に示すように、別の実施例においては、ボス３３の底面をくりぬいて、側面に弾性壁４５を形成して、弾性変形して商品ディスプレイブラケットの脚の間に取り付け手段を取り外し可能に固定するようにしてもよい。
図面に示すように、底部すなわちプレートの前端および右端を、好ましくは協働する価格タグに接触する肩面と、好ましくは公知の方法で図面の左手のブラケットの合わせピン部材３９にスナップ固定させるためのばち形スロット部材３８などのスナップ固定部材３８とを有する略矩形のピン部材３６として形成し、取り付け手段３０を取り外し不能に自己固定して、閉ループ、すなわち道具を用いて壊すことによってのみ開くループの形状をなすようにする。
取り付け手段の最も薄い部分３１Ａと３５の材料厚は商品ディスプレイブラケットの脚とパッケージの送り穴の間の間隙に合わせるようにしなくてはならず、よってほぼ１０分の２ミリから２０〜３０分の２ミリにすればよい。したがって、当該材料は、図６に示すように、部分３１Ａが脚の架橋横断面の周りで湾曲するときに、高引っ張り強度を持ち、しかも可撓な材料であることが求められる。取り付け手段全体の製造には例えばポリアミド、ポリプロピレン、可塑ポリスチレンなどの合成材料を用いることを本発明では提案するが、最適な物理的強度を得るために当該材料を詳細に構成することについては当業者に任せるものとする。また、取り付け手段をバネ鋼などの金属によって製造することも考えられる。
断面形状は当然ながら、図８の端面図に示すように、パッケージの形状と寸法に合せて調整するものと理解できる。
次に図７のＢ−Ｂ線で切り取った取り付け手段の縦断面図である図６を参照すると、ブラケット３１は商品ディスプレイブラケット４０の横断部４０の周りで折り重ねられている。これは部分３１Ａでブラケットの折り重ねられた部分に旋回可能に軸支される。これによって、ピン部材３９はスロット３８でスナップ固定によってピン部材３６に固定接続し、仮想線で概略図示した価格タグ１の凹部に挿入される。セット用パッケージの裏面４２の送り穴部分は商品ディスプレイブラケット４１にねじ込ま、送り穴４３にその中心部に位置する半円凹部と共に示されている。
図７は部分的に途切れた価格タグ１に取り付けられ、ワイヤブラケット４１の先端に固定される取り付け手段３０を上から見た平面図である。破線はパッケージのねじ合わせ部分４１’のワイヤブラケットが空間３５内で静止し、ボス３３の側面と固定係合することにより、取り付け手段および価格タグ１をワイヤブラケットあるいは商品ディスプレイブラケットと軸が同一になるように取り外し可能に固定する状態を示している。ボスはブラケット３１を押し下げることによりワイヤブラケットの脚から取り外される。その後、取り付け手段および価格タグは手動で図面の右手方向に押され、ワイヤブラケットの先端部４０が可撓ブラケットとボスの上面の間をスライドするので、ブラケットの折り重なった部分３１Ａで再び静止する。さらに図７は弾性舌状部材４４として設計されるピン３９の各固定部材４４が、取り付け手段３０を価格タグ１に永久固定するために価格タグの凹部のくさび形の空間と係合する状態を概略的に図示している。底部のピン部材３６も、フック、のこ歯切欠き、舌状部材あるいは同様な手段の固定部材を備えるようにしてもよい。
図１１は取り付け手段３０’の別の実施例を示している。ここでは、ブラケット３１’の底面に出っ張り４６を備え、ボス３３’は円形の前端４７を有する。これによって、ホルダの横断面の好適に定義した静止点を維持しつつ、空間３５において取り付けホルダを滑らかに移動させ、スナップ固定させることができる。同時に、ブラケットの形状永続性は向上し、ホルダの脚との固定からボスの押し下げまでのブラケットの操作性も向上する。
本発明は特定の使用条件に関して説明してきたが、先に述べたように、取り付け手段を図面で示した電子価格タグとは別の種類の情報担体に用いることもできる。よって、当業者であれば上述の価格タグと同様なやり方で凹部に取り付け手段を受ける情報担体を設計することは容易であろう。
【図１ａ】
0003833249.tif 000002
【図１ｂ】
0003833249.tif 000003
【図２】
0003833249.tif 000004
【図３】
0003833249.tif 000005
【図４】
0003833249.tif 000006
【図５】
0003833249.tif 000007
【図６】
0003833249.tif 000008
【図７】
0003833249.tif 000009
【図８】
0003833249.tif 000010
【図９】
0003833249.tif 000011
【図１０】
0003833249.tif 000012
【図１１】
0003833249.tif 000013